(57)【特許請求の範囲】
【請求項１】
文字盤（５７）の前側で針による時間表示を行うための歯車列（１１）と、この歯車列（１１）の少なくとも１つの定められた位置を検出するための、前記歯車列（１１）に関して横方向に配向された光障壁アッセンブリ（３９）とを有し、前記歯車列（１１）の前記少なくとも１つの定められた位置を検出するため、前記歯車列（１１）の歯車（中間歯車（３３）、分針歯車（２９）、時針歯車（２４））の開口部（４０）は前記光障壁アッセンブリ（３９）内に突出しており、前記光障壁アッセンブリ（３９）の少なくとも１つの要素（放射線送信器（３７）または放射線受信器（３８））は前記歯車列（１１）と平行な関係で配置された少なくとも１つのプリント回路基板（副プリント回路基板（４１）または主プリント回路基板（４３））に配置されている無線制御式ムーブメント（１２）において、
前記光障壁アッセンブリ（３９）の要素（放射線送信器（３７））が、プリント回路基板のプリント回路基板開口部（６０）内にて前記開口部を架橋する導体平面（ライニング（５６）または箔（６１））に導電関係で配置され、かつプリント回路基板（４１）の反対側に配置されたライニング（４７）に結合ワイヤ（６２）によって電気的に接続されていることを特徴とする無線制御式ムーブメント。
【請求項２】
前記開口部（６０）内の前記要素の周囲の領域は放射線透過性材料（注型材料（６３））によって充填され、この材料は前記結合ワイヤ（６２）の円弧上位置まで延び、前記開口部（６０）の縁部のすぐ近傍を覆っていることを特徴とする請求項１記載の無線制御式ムーブメント。
【請求項３】
前記光障壁アッセンブリ（３９）の反対側に配置された要素（放射線受信器（３８））は前記ムーブメント（１２）の電子モジュールの主プリント回路基板（４３）に配置され、キャリヤプレート開口部（３６．５）内にて横方向に自由に突出していることを特徴とする請求項１または２記載の無線制御式ムーブメント。
【請求項４】
前記光障壁アッセンブリ（３９）の前記放射線受信器（３８）および前記放射線送信器（３７）用の２つのプリント回路基板（副プリント回路基板（４１）および主プリント回路基板（４３））は、止めねじ（４４）によって伝動ユニット（１３）の外側に前記歯車列（１１）に対して平行な関係でクランプされ、前記止めねじ（４４）は、これと同時に、一方のプリント回路基板（副プリント回路基板（４１））のライニング（４７）から他方のプリント回路基板（主プリント回路基板（４３））のライニング（４９）までの電気接続部を形成することを特徴とする請求項１乃至３のいずれか記載の無線制御式ムーブメント。
【請求項５】
前記光障壁アッセンブリ（３９）の２つの要素（放射線送信器（３７）および放射線受信器（３８））用の２つのプリント回路基板（副プリント回路基板（４１）および主プリント回路基板（４３））は、前記歯車列（１１）用の前記伝動ユニット（１３）および一方のプリント回路基板（副プリント回路基板（４１））のライニング（５６）を他方のプリント回路基板（主プリント回路基板（４３））のライニング（５３）に接続する接触ばね（５２）を介在させて止めねじ（４４）によって互いに機械的に支持され、前記接触ばね（５２）は止めねじ（４４）と平行な関係で延びていることを特徴とする請求項１乃至４のいずれか記載の無線制御式ムーブメント。
【請求項６】
前側プリント回路基板（副プリント回路基板（４１））の前側ライニング（５６）は、前記接触ばね（５２）および導電性通孔（５５）によって後側プリント回路基板（主プリント回路基板（４３））の前側ライニング（５３）に電気的に接続されていることを特徴とする請求項５記載の無線制御式ムーブメント。
【請求項７】
プリント回路基板ライニング（４７）に電気的に接続された止めねじ（４４）を導電的に受け入れる導電性ピラー部材（４６）がプリント回路基板（副プリント回路基板（４１））の開口部に装着されていることを特徴とする請求項１乃至６のいずれか記載の無線制御式ムーブメント。
【請求項８】
伝動ユニット（１３）にプリント回路基板（主プリント回路基板（４３））を装着するときに、前記プリント回路基板（４３）が支持するステッパモータ（３５）のピニオン（３４）が前記伝動ユニット（１３）の伝動空間（１７）内で前記中間歯車（３３）と噛み合い関係で係合することを特徴とする請求項１乃至７のいずれか記載の無線制御式ムーブメント。
【請求項９】
請求項１乃至８のいずれか記載の無線制御式ムーブメントの組立方法において、中間歯車シャフト（６４）および分針シャフト（２０）をキャリヤプレート（１５）のジャーナル軸受（３２，２１）に連続的に装着するときに、光障壁アッセンブリ（３９）を代表する調節ピン（６５）を前記キャリヤプレート（１５）の光障壁アッセンブリ開口部（３６．５）に配置し、また様々な要素が取り付けられた伝動空間（１７）をムーブメントプレート（１４）の装着によって閉鎖する前に、歯車（３３，２９）の開口部（４０）に前記調節ピン（６５）を装着し、時針チューブ（２２）を前記分針シャフト（２０）に最後に装着し、時針歯車（２４）の開口部（４０）にも前記調節ピン（６５）を通し、これらの２つのプレート（ムーブメントプレート（１４）およびキャリヤプレート（１５））は、歯車列（１１）の軸線（１９）と平行なクランプねじ（１８）によって互いに支持され、そのとき、前記調節ピン（６５）を前記キャリヤプレート開口部（３６．５）から取り外し、前記調節ピン（６５）の代わりに、光障壁アッセンブリ要素（放射線受信器３８）を、前記キャリヤプレート（１５）の後側に取り付けられたプリント回路基板（主プリント回路基板（４３）によって前記開口部（３６．５）に進入関係で装着し、前記ムーブメントプレート（１４）の前側に装着される、他の光障壁アッセンプリ要素（放射線送信器（３７））が配置されるとともにムーブメントプレート開口部（３６．４）内に突出したプリント回路基板（副プリント回路基板（４１））に対して止めねじ（４４）によって支持し、このとき、２つのプリント回路基板（４１，４３）間に、前記ムーブメントプレート（１４）および前記キャリヤプレート（１５）の通路（５１）に通した接触ばね（５２）を介在させることを特徴とする無線制御式ムーブメントの組立方法。
【発明の詳細な説明】
【０００１】
【発明の属する技術分野】
本発明は無線制御式ムーブメントに係り、とりわけ腕時計等に好適な無線制御式計時器ムーブメント（radio-controlled timepiece movement ）に関する。
【０００２】
【従来の技術】
このようなムーブメントは独国特許第３５１０８６１Ａ１号により知られている。このムーブメントにおいては、光障壁手段（light barrier means ）、すなわち作動の開始時および作動中に表示位置を検出して表示の自動補正を行うための装置がムーブメント自体の歯車列に一体化されているので、コンパクトな構造および高い作動信頼性を達成することができる。この場合には、透過型光障壁装置（transmission-type light barrier arrangement）を構成するため、光障壁要素、すなわち放射線送信器および放射線受信器）は、後側プリント回路基板およびこれに対向する関係のムーブメントの前側ハウジング壁の通孔に積極的に係止された状態で装着される。
【０００３】
ケースに入っていない例えば赤外線放射ダイオードからなる放射線送信器の場合には、チップの形態でプリント回路基板の導体トラックライニングに直接的に導電関係で取り付けるとともに、これに対向する関係で、下方に円弧をなして延びる結合ワイヤによって、同じプリント回路基板の別の導体トラックに電気的に接続することができる。
【０００４】
【発明が解決しようとする課題】
しかしながら、この場合には、構造の周囲に放射線透過性プラスチック材料を注型成形し、機械的な保護を与えなければならない。これには、全体として、非常に大きな空間が必要となるということに着目されたい。これは、チップの自由面上の結合ワイヤの高い円弧を導体トラックの平面内まで下方にプラスチック材料で覆わなければならず、そのために広幅でかつ高い注型材料のマウンド（mound）が形成されるためである。このため、無線制御式計時器ムーブメントが例えば、腕時計のケーシングに配置できるよう極めてコンパクトな形状である場合には特に厄介である。ムーブメントが小さくなればなる程、光障壁装置内に突出した歯車の調節がこれに対応して複雑になる。歯車の調節は、光を通すためのそれぞれの角度位置について行われる。
【０００５】
従って、本発明の目的は、特に小型に設計にでき、かつ容易に組み立てることができる無線制御式ムーブメントおよびその組立方法を提供することにある。
【０００６】
【課題を解決するための手段】
本発明によれば、この目的は、請求項１に記載の本質的な特徴によって達成される。光障壁要素、より詳細には、好ましくは放射線送信器をチップの形態で横方向の遊びを伴ってプリント回路基板の内部に配置し、ここでライニングまたは箔に載せる。ライニングまたは箔はさらに、機械的キャリヤとして、電気的接続部として、およびチップを収容するプリント回路基板開口部用の閉鎖手段として役立つ。このような構成により、放射線送信器は、プリント回路基板の厚さを越えて僅かに突出しており、そのため、結合ワイヤの形状はプリント回路基板ライニングに対して特に平らであるか、または浅い円弧形状である。注型材料からなるマウンドに必要とされる高さは、これと対応して低い。さらに、マウンドの横方向寸法は、プリント回路基板開口部およびこの開口部のすぐ周囲の結合ワイヤ接続部に接続された領域に合わせて制限されるので、特に小さい。
【０００７】
望ましくは、歯車列はそれ自体で作動できる伝動ブロック（ユニット）内に配置されている。歯車列の装着後、伝動ブロック（ユニット）のムーブメントプレートおよびキャリヤプレートの２つの外面には、光障壁要素（送信器および受信器）用のプリント回路基板が装着される。光障壁要素は、ムーブメントプレートおよびキャリヤプレートの開口部内に幾分突出している。この前、すなわちこれらのプリント回路基板の装着前には、特にキャリヤプレートの開口部には外部から自由にアクセスできる。そのため、後の光障壁装置の軸線を代表する調節ピンを挿入することができる。調節ピンは、キャリヤプレートを通って伝動ブロック（ユニット）の内部に延びる。伝動歯車を挿入するとき、開口部を備えたプレート部材に調節ピンを差し込む。その結果、調節ピンを取り外して光障壁アッセンブリを調節ピンの代わりに装着したときには、光障壁アッセンブリに関して、開口部を備えたプレート部材の角度位置について歯車が自動的に正しく調節される。
【０００８】
透過型光障壁アッセンブリの２つの要素のうちの一方は、ムーブメント軸線と平行に、すなわち歯車に関して横方向に配向される。好ましくは、全体に送信器よりも大きい受信器は、望ましくは、キャリヤプレートの後側に歯車と平行な関係で固定されるべき（主）プリント回路基板に設けられた無線制御式計時器電子モジュールの他の電子部品と一緒に配置され、プリント回路基板の厚さを越えてほとんど突出していない比較的小型の光障壁アッセンブリ送信器は、これが貫入関係で装着されることによって、（副）プリント回路基板上に配置される。副プリント回路基板は、既に作動状態に組み立ててある伝動ブロック（ユニット）のムーブメントプレートの文字盤側に装着される。伝動ブロック（ユニット）への２つのプリント回路基板の機械的連結および２つのプリント回路基板間の電気的接続は、軸線が平行になる関係で伝動ブロック（ユニット）に通した導電性止めねじによって行われる。これによって、副プリント回路基板の２つの導体トラックのうちの一方が、主プリント回路基板の２つの導体トラックのうちの一方に電気的に接続され、これにより、同時に、一対のプリント回路基板が伝動ブロック（ユニット）の互いに反対側に配置された外面にサンドウィッチ状に押し付けられる。伝動ブロック（ユニット）は、一対のプリント回路基板間に配置される。止めねじと平行に配置された圧力接触ばねによって、副プリント回路基板および主プリント回路基板の２つの導体トラックのそれぞれは、それぞれのプリント回路基板の同じ側で互いに接触するか、またはそれぞれのプリント回路基板の互いに反対側に配置された側の通路を通して導通する。
【０００９】
本発明のこの他の変形例および改良並びに特徴および利点は、特許請求の範囲および大きく拡大した形態でおよび本質的な構成要素に限定して大幅に簡略化した方法でほぼ縮尺通りに示す本発明の好ましい実施の形態についての以下の説明から明らかになるであろう。
【００１０】
【発明の実施の形態】
以下、本発明の実施の形態について図１により説明する。
【００１１】
無線制御式腕時計用ムーブメント１２の歯車列１１は、二部品伝動ブロック（ユニット）１３内にてそれ自体が完全に作動するよう配置されている。伝動ブロック（ユニット）１３は必ずしも箱状装置内に封入されている必要はない。伝動ブロック（ユニット）１３はその外形を形成する部材としてムーブメントプレート１４およびキャリヤプレート１５を備えている。これらのプレート１４，１５は互いに平行であり、かつ歯車に対しても平行である。プレート１４，１５は接合部１６に沿って支持される。接合部１６は必ずしも１つの平面内にて段差を持たない形状で延びるようにする必要はなく、伝動空間１７を残すようにする。プレート１４，１５は少なくとも１つのヘッド付きクランプねじ１８により支持される。クランプねじ１８は接合部１６の間を架橋し、符号１９が付されたムーブメント軸線と平行な関係でその後部がキャリヤプレート１５内に埋め込まれる。キャリヤプレート１５のジャーナル軸受２１には分針シャフト２０がこれに対向する関係で取り付けられている。分針シャフト２０は分針シャフト２０を同心状に包囲する時針チューブ２２により半径方向に案内される。時針チューブ２２はムーブメントプレート１４の中央ボア２３を通って突出し、かつ中央ボア２３に対して回転自在に半径方向に取り付けられている。時針チューブ２２は、時針チューブ２２に取り付けられるか、または時針チューブ２２に形成された時針歯車２４により、伝動空間１７内にて軸線方向に支持されている。時針歯車２４は、一方ではムーブメントプレート１４の後面２５に支持され、他方では分針シャフト２０に設けられたピニオン２７の前端面２６上に支持される。これにより、ムーブメントプレート１４の後面２５に当接する時針歯車２４によって分針シャフト２０がジャーナル軸受２１に対向して位置決めされる場合、時針チューブ２２は、前方方向においてはムーブメントプレート１４の後面２５によって軸線方向に支持され、後方方向においては分針シャフト２０によってそのジャーナル軸受２１に関して支持される。
【００１２】
分針シャフトピニオン２７から時針歯車２４へのトルクの伝達は、換え歯車および換え歯車ピニオンによって行われる。換え歯車および換え歯車ピニオンは図面には示してない。これは、換え歯車および換え歯車ピニオンの軸線が、添付図面に示す長さ方向断面平面の外側にある針シャフト（hands shafts）の軸線１９に関して平行な関係でずれているためである。
【００１３】
分針シャフトピニオン２７の後端面２８には、分針歯車２９が配置されている。分針歯車２９は、分針シャフト２０に対して回転しないよう連結されるか、または分針シャフト２０と一体に形成されている。分針歯車２９は、中間歯車ピニオン３０によって駆動される。中間歯車ピニオン３０は、ムーブメントプレート１４の前側ジャーナル軸受３１とキャリヤプレート１５の後側ジャーナル軸受３２との間に取り付けられており、保持（time-keeping）モードで駆動されるステッパモータ３５のロータピニオン３４（この断面平面の外側に配置されており、そのため、ここには示してない）と噛み合う中間歯車３３を備えている。ステッパモータ３５は、主プリント回路基板４３上に配置されており、そのピニオン３４が伝動ブロック（ユニット）１３内に突出している。針シャフト軸線１９と平行な関係で互いに整合した開口部３６（前側開口部３６．４および後側開口部３６．５）がムーブメントプレート１４およびキャリヤプレート１５に設けられている。透過型光障壁アッセンブリ３９用の放射線送信器３７が前側から開口部３６内に突出しており、透過型光障壁アッセンブリ３９用の放射線受信器３８が後側から開口部３６内に突出している。光障壁アッセンブリ３９は、歯車列１１の全ての歯車（より詳細には、この好ましい実施の形態では中間歯車３３、分針歯車２９、および時針歯車２４）のそれぞれの開口部４０が光障壁アッセンブリ３９の軸線上に配置されたときに作動状態にある。これらの開口部４０は、図示のように穴であってもよいし、半径方向に開放したスロットであってもよい。
【００１４】
放射線送信器３７は、可視スペクトルまたは不可視スペクトル、好ましくは近赤外線スペクトルを照射する半導体ダイオードからなり、ムーブメントプレート１４の開口部３６．４の前側の副プリント回路基板４１によって機械的に保持されており、この開口部３６．４内に僅かに突出している。光障壁アッセンブリ３９の反対側では、上述した放射線スペクトルに合わせて調整した光障壁受信器３８が、キャリヤプレート１５の後側に配置された主プリント回路基板４３の装置側４２に、キャリヤプレートの開口部３６．５内に突出するように配置されている。無線制御式計時器用受信器、解読−制御プロセッサ、保持（time-keeping）用ステッパモータ装置回路およびその外部回路等の、主プリント回路基板４３上に配置されるとともにプリント回路基板の表面上に配置された導体トラックによって互いに結線された他の装置もまた、主プリント回路基板４３の装置側４２に接続されており、これは添付図面の断面の外側にある。本出願人が本願と同日付けで出願した「無線制御式腕時計」という標題の出願にも着目されたい。この出願中で電子モジュールのプリント回路基板（１３）と呼ばれている装置が、本願で主プリント回路基板４３と呼ぶ装置に対応している。
【００１５】
伝動ブロック（ユニット）１３への２つのプリント回路基板４１，４３の機械的連結、および２つのプリント回路基板４１，４３の相互の電気的接続は、伝動ブロック（ユニット）１３の両側で、導電性の（金属製であるか、または導電性材料でコーティングしてある）止めねじ４４によって行われる。これと同時に、ムーブメントプレート１４およびキャリヤプレート１５が追加的に、互いに支持される。止めねじ４４の雄ねじを備えたシャンク４５は、副プリント回路基板４１に取り付けられた雌ねじを備えたピラーすなわちコラム部材４６と螺合する。コラム部材４６は、図示の実施の形態では、副プリント回路基板４１の後側ライニング４７に、例えばはんだ付けまたは蝋付けによって取り付けられている。その結果、後側ライニング４７が止めねじ４４の頭部４８によって主プリント回路基板４３の後側の導電性トラックライニング４９に電気的に接続される。圧力接触ばね５２（好ましくは、図示のように、コイルばねである）用の案内通路５１が、止めねじ４４用の通路５０の軸線と平行にかつこの通路５０の近くでムーブメントプレート１４およびキャリヤプレート１５を貫通している。圧力接触ばね５２は、後側が主プリント回路基板４３の前側ライニング５３に当接し、前側が副プリント回路基板４１の後側５４と当接している。ここは、副プリント回路基板４１の後側ライニング４７に関して絶縁されている。金属化通孔５５は、ばね５２が副プリント回路基板４１に当接した領域で終端する。その結果、導電性ばね５２は通孔５５によって前側ライニング５６に接続され、この前側ライニング５６は、ばね５２によって主プリント回路基板４３の前側ライニング５３に接続されている。
【００１６】
文字盤５７とムーブメントプレート１４の前側５８の凹所５９との間にムーブメント１２の歯車の平面と平行な関係で配置された副プリント回路基板４１は、光障壁アッセンブリ３９の前側装置（ここでは、ケーシング等に入っていない発光ダイオード等の放射線送信器３７）を機械的に保持し電気的に接続するのに役立つに過ぎないので、止めねじ４４によって主プリント回路基板４３に接続されたモジュールに対し、針シャフトとムーブメント軸線１９の方向での構造の高さをできるだけ小さくする努力がなされた。これは、放射線送信器３７を副プリント回路基板４１の開口部６０に埋め込み、この開口部６０内で、副プリント回路基板４１に連結された前側ライニング５６または金属箔６１と接触させることによって行われる。ライニングまたは箔は、開口部６０にわたって延び、より詳細には、送信器に機械的におよび電気的に接続されている。ＬＥＤチップは、副プリント回路基板４１の後側ライニング４７を越えてほとんど突出しておらず、従って、比較的平らな円弧をなして延びる、すなわちほとんど突出していない結合ワイヤ６２によって、副プリント回路基板４１の後側ライニング４７に電気的に接続できる。従って、放射線透過性注型部分６３が僅かに立ち上がっており、この領域で放射線送信器３７の周りにある、すなわち受け入れ開口部６０内の注型材料の密度が減少し、そのため、必要な注型材料が減少し、表面に平らに結合されたチップ装置の注型と比較すると、注型表面積が約１／３になる。
【００１７】
ムーブメント１２の取り付けに関し、伝動ブロック（ユニット）１３の組み立てと、伝動ブロック（ユニット）１３への光障壁アッセンブリ３９の装着すなわち２つのプリント回路基板４１，４３の装着とを別々に行う。これにより、歯車列１１の組み立てが非常に容易になる。例えば、組み立て手順に関し、光障壁アッセンブリ３９の方向に延びる調節ピン６５を組み立て補助部材としてキャリヤプレートの開口部３６．５に光障壁受信器３８の代わりに装着することができる。ムーブメントプレート１４がいまだ所定位置に装着されていない状態で、中間歯車シャフト６４、分針シャフト２０、および時針チューブ２２をキャリヤプレート１５に装着するとき、開口部４０を次々に調節ピン６５に通す。その後、伝動ブロック（ユニット）１３をムーブメントプレート１４で閉鎖し、すなわちムーブメントプレート１４をキャリヤプレート１５に装着し、これらをクランプねじ１８で互いに支持したとき、光障壁アッセンブリ３９の作動モードに関して重要な歯車が既に正確に位置決めされている。光障壁アッセンブリ３９の作動に関して重要な歯車は、実際には、互いに正しい角度位置に既に取り付けられているので、アッセンブリ調節ピン６５をキャリヤプレート１５の開口部３６．５から取り外すことができる。これは、これに続いて、電子モジュールの主プリント回路基板４３を後側の所定位置に装着するときに、光障壁アッセンブリ受信器３８を所定位置に係合できるようにするためである。さらに、放射線送信器３７を備えた副プリント回路基板４１を文字盤５７の平面の下でムーブメントプレート１４の前側凹所５９に挿入し、反対側に配置された主プリント回路基板４３に止めねじ４４で機械的に連結するとともに電気的に接続する。このとき、接触ばね５２を介在させる。主プリント回路基板４３に取り付けられたステッパモータ３５のピニオン３４が中間歯車３３の歯と噛み合う。従って、これ以上の歯車調節作業を必要とせず、光障壁アッセンブリ３９および無線制御式腕時計用ムーブメント１２のステッパモータ３５によって駆動される伝動ブロック（ユニット）１３が直接機能し得る状態となる。これは、モジュール構造を促進し、その結果、安価で、かつ小型のムーブメントおよび大型のムーブメントの両方で使用できるようになる。特に歯車列１１の寸法を針のムーブメントについてのトルク状態に適合させさえすればよいので、含まれるそれぞれの種類の計時器に応じて、歯車列１１に任意の適当な電子モジュールの主プリント回路基板４３を装着することができる。
【００１８】
従って、特にコンパクトであるにもかかわらず組み立てが容易でかつ様々に使用することができ、特に腕時計のムーブメントの大きさに適した無線制御式計時器ムーブメント１２が得られる。これは、本実施の形態によれば、歯車列１１がムーブメントプレート１４とキャリヤプレート１５との間に作動的に配置され、クランプねじ１８によって互いに支持されており、光障壁アッセンブリ３９に関して調節される。その後、後側で、作動的に閉鎖された伝動ブロック（ユニット）１３に電子モジュールの主プリント回路基板４３が装着される。このとき、ステッパモータ３５のピニオン３４が中間歯車３３の歯と係合する。前側では、光障壁アッセンブリ送信器３７用の副プリント回路基板４１が伝動ブロック（ユニット）１３に装着される。これらは、接触ばね５２を介在させて伝動ブロック（ユニット）１３に軸線と平行な関係で通した止めねじ４４によって機械的に連結され、かつ電気的に接続される。接触ばね５２により、２つのプリント回路基板４１，４３間で応力が加えられる。前側で文字盤５７の平面の下に配置された、光障壁アッセンブリ３９の放射線送信器３７用の副プリント回路基板４１は、これを副プリント回路基板４１の開口部６０の前側にわたって延びる導体ライニング５６または箔６１に装着したときに、ほとんど突出しない。反対側に配置されたプリント回路基板ライニング４７には、特に浅い円弧をなす結合ワイヤ６２によって電気的接続がなされる。これと対応して、注型材料からなる平らなマウンド６３が形成される。これは、放射線透過性注型材料６３がムーブメントプレート１４の開口部３６．４内に僅かに延びることができるとともに送信器３７の構造的高さが副プリント回路基板４１の厚さを越えてほとんど突出していないためである。
【図面の簡単な説明】
【図１】歯車列の構造、および光障壁アッセンブリによるその角度位置検出方法を例示する、無線制御式腕時計用ムーブメントの長さ方向断面図。
【符号の説明】
１１  歯車列
１２  無線制御式腕時計用ムーブメント
１３  二部品伝動ブロック（ユニット）
１４  ムーブメントプレート
１５  キャリヤプレート
１６  接合部
１７  伝動空間
１８  ヘッド付きクランプねじ
１９  ムーブメント軸線
２０  分針シャフト
２１  ジャーナル軸受
２２  時針チューブ
２３  中央ボア
２４  時針歯車
２７  ピニオン
２９  分針歯車
３１，３２  ジャーナル軸受
３３  中間歯車
３４  ピニオン
３５  ステッパモータ
３６．４，３６．５  開口部
３７  放射線送信器
３８  放射線受信器
３９  光障壁アッセンブリ
４０  歯車開口部
４１  副プリント回路基板
４３  主プリント回路基板
４４  止めねじ
４７，４９，５３，５６  ライニング
５２  接触ばね
５５  導電性通孔
５７  文字盤
６０  開口部
６１  箔
６２  結合ワイヤ
６３  注型材料
６４  中間歯車シャフト
６５  調節ピン
【図１】
0003955391.tif 000002